(57)【要約】【課題】ギャップによる振動の発生及びテンションの抜けを抑制してこれらに伴う印刷障害の発生を防止するとともに、ブランケットの取り付け、取り外しの作業等が煩わしくない輪転機の印刷胴構造を提供すること。【解決手段】ブランケット胴２には、２枚のブランケット７を軸方向に並べて巻着可能とし、ブランケット胴２の外周には、各ブランケット７の巻き端部を係止するためのギャップ２ａ、２ｂを形成した。これらのギャップ２ａとギャップ２ｂは、ブランケット胴２の周方向において相互に１８０度位相をずらして設けた。さらに、ブランケット胴２の外周に、ブランケット胴２の軸方向に沿って各ギャップ２ａ、２ｂの延長線上に隆起部２ｃ、２ｄを設けた。印刷時には、版胴１が隆起部２ｃ、２ｄを乗り越える形で回転するので、版胴１が各ギャップ２ａ、２ｂに落ち込むことが防止される。【選択図】図４
2005219412.tif 000002
【特許請求の範囲】
【請求項１】
印刷インキを隣接部で順次転移させ、転移過程でインキ被膜にするインキロール群と、前記インキロール群の最終ロールから前記インキ被膜を転移させる印刷面を備えた刷版を外周に巻着した版胴と、前記刷版の印刷面に転移させた前記印刷インキを走行するウエブ面に転写して印刷するブランケットを外周に巻着したブランケット胴とを含む輪転印刷機の印刷胴構造であって、
ブランケット胴には、２枚のブランケットを軸方向に並べて巻着可能であり、ブランケット胴の外周には、各ブランケットの巻き端部を係止するためのギャップが形成されており、一方のブランケットの巻き端部を係止するためのギャップは、他方のブランケットの巻き端部を係止するためのギャップに対してブランケット胴の周方向において位相をずらして設けられており、
さらに、ブランケット胴の外周又はブランケット胴に巻着したブランケットには、ブランケット胴の軸方向に沿って前記各ギャップの延長線上に隆起部が形成されていることを特徴とする輪転印刷機の印刷胴構造。
【請求項２】
前記隆起部は、前記各ギャップの形成部分を除いて、ブランケットの巻着部分の全幅にわたって形成されている請求項１に記載の輪転印刷機の印刷胴構造。
【請求項３】
前記隆起部は、ブランケット胴の周方向における前記各ギャップの幅よりも幅広に形成されている請求項１又は２に記載の輪転印刷機の印刷胴構造。
【請求項４】
前記隆起部は、ブランケット胴の周方向において、曲面状となるように形成されている請求項１〜３の何れかに記載の輪転印刷機の印刷胴構造。
【請求項５】
印刷インキを隣接部で順次転移させ、転移過程でインキ被膜にするインキロール群と、前記インキロール群の最終ロールから前記インキ被膜を転移させる印刷面を備えた刷版を外周に巻着した版胴と、前記刷版の印刷面に転移させた前記印刷インキを走行するウエブ面に転写して印刷するブランケットを外周に巻着したブランケット胴とを含む輪転印刷機の印刷胴構造であって、
ブランケット胴には、２枚のブランケットを軸方向に並べて巻着可能であり、ブランケット胴の外周には、各ブランケットの巻き端部を係止するためのギャップが形成されており、一方のブランケットの巻き端部を係止するためのギャップは、他方のブランケットの巻き端部を係止するためのギャップに対してブランケット胴の周方向において位相をずらして設けられており、
さらに、版胴の外周又は版胴に巻着した刷版には、印刷時に前記ブランケット胴の前記各ギャップの延長線上となる位置に版胴の軸方向に沿って隆起部が形成されていることを特徴とする輪転印刷機の印刷胴構造。
【請求項６】
前記隆起部は、前記各ギャップの形成部分を除いて、ブランケットの巻着部分に対応する部分の全幅にわたって形成されている請求項５に記載の輪転印刷機の印刷胴構造。
【請求項７】
前記隆起部は、ブランケット胴の周方向における前記各ギャップの幅よりも幅広に形成されている請求項５又は６に記載の輪転印刷機の印刷胴構造。
【請求項８】
前記隆起部は、版胴の周方向において、曲面状となるように形成されている請求項５〜７の何れかに記載の輪転印刷機の印刷胴構造。
【発明の詳細な説明】
【技術分野】
【０００１】
本発明は、オフセット輪転印刷機等、種々の輪転印刷機の印刷部に装備するブランケット胴、版胴、版胴に印刷インキを転移させるインキロール群等からなる輪転印刷機の印刷胴構造に関する。
【背景技術】
【０００２】
従来の輪転印刷機の印刷胴構造において、版胴とブランケット胴との間には、版胴の外周に巻着された刷版の印刷面上の印刷インキをブランケット胴の外周に巻着されたブランケットに確実に転写させるために一定の印圧が付加される。
【０００３】
一方、版胴とブランケット胴の外周には、それぞれ刷版とブランケットの巻き端部を係止するため、図１０に示すようにギャップ（溝）が形成されており、印刷中は双方のギャップ１ａ、２ａが常に同じ位置で向き合う形で回転するように設定されている。したがって、ギャップ１ａ、２ａが胴幅全体で揃うと印圧のかからない状態が周期的に発生して振動が発生し、ショックマーク等の発生原因になり、また、ギャップ部分が来たときにウエブ（紙）面に付加されるテンション（張力）の抜けが大きくなってウエブずれの発生原因になる。
【０００４】
そこで、このような振動の発生及びテンションの抜けによる印刷障害の発生を抑制するために、従来は、非特許文献１に記載されているように、例えば４ページ幅の版胴を使用した印刷胴構造の場合、２ページ幅単位でギャップをずらすようにしている。これによって、２ページ周長の版胴を使用した主流の印刷胴構造では、ギャップによる振動の発生及びテンションの抜けは許容レベルまで低下していた。しかしながら、近年、より精度の高い印刷を求める声が強まってきており、この技術では対応しにくくなっている。
【０００５】
これに対して、特許文献１には、ギャップを胴幅方向で４分割以上に分割して、分割した各ギャップの位相をずらすことで、ギャップによる振動の発生及びテンションの抜けを低減させるようにした印刷胴構造が開示されている。
【０００６】
しかし、特許文献１の印刷胴構造では、ブランケット胴に対し４枚以上のブランケットを巻着しなければならず、その取り付け、取り外しの作業等が煩わしいという問題があった。
【特許文献１】特開平１０−７１６９４号公報
【非特許文献１】日本新聞協会  技術委員会編，「新聞印刷ハンドブック」，第１版第２刷，社団法人日本新聞協会，１９９９年３月３１日，ｐ．５８−５９
【発明の開示】
【発明が解決しようとする課題】
【０００７】
そこで、本発明は、ギャップによる振動の発生及びテンションの抜けを抑制してこれらに伴うショックマーク等の印刷障害の発生を防止するとともに、ブランケットの取り付け、取り外しの作業等が煩わしくない輪転機の印刷胴構造を提供することを目的とする。
【課題を解決するための手段】
【０００８】
上記目的を達成するため、本発明の輪転印刷機の印刷胴構造は、印刷インキを隣接部で順次転移させ、転移過程でインキ被膜にするインキロール群と、前記インキロール群の最終ロールから前記インキ被膜を転移させる印刷面を備えた刷版を外周に巻着した版胴と、前記刷版の印刷面に転移させた前記印刷インキを走行するウエブ面に転写して印刷するブランケットを外周に巻着したブランケット胴とを含む輪転印刷機の印刷胴構造であって、ブランケット胴には、２枚のブランケットを軸方向に並べて巻着可能であり、ブランケット胴の外周には、各ブランケットの巻き端部を係止するためのギャップが形成されており、一方のブランケットの巻き端部を係止するためのギャップは、他方のブランケットの巻き端部を係止するためのギャップに対してブランケット胴の周方向において位相をずらして設けられており、さらに、ブランケット胴の外周又はブランケット胴に巻着したブランケットには、ブランケット胴の軸方向に沿って前記各ギャップの延長線上に隆起部が形成されていることを特徴とする。
【０００９】
この輪転印刷機の印刷胴構造において、前記隆起部は、前記各ギャップの形成部分を除いて、ブランケットの巻着部分の全幅にわたって形成されたものとすることができる。また、前記隆起部は、ブランケット胴の周方向における前記各ギャップの幅よりも幅広に形成されているものとすることができる。さらに、前記隆起部は、ブランケット胴の周方向において、曲面状となるように形成されたものとすることができる。
【００１０】
また、本発明の輪転印刷機の印刷胴構造は、印刷インキを隣接部で順次転移させ、転移過程でインキ被膜にするインキロール群と、前記インキロール群の最終ロールから前記インキ被膜を転移させる印刷面を備えた刷版を外周に巻着した版胴と、前記刷版の印刷面に転移させた前記印刷インキを走行するウエブ面に転写して印刷するブランケットを外周に巻着したブランケット胴とを含む輪転印刷機の印刷胴構造であって、ブランケット胴には、２枚のブランケットを軸方向に並べて巻着可能であり、ブランケット胴の外周には、各ブランケットの巻き端部を係止するためのギャップが形成されており、一方のブランケットの巻き端部を係止するためのギャップは、他方のブランケットの巻き端部を係止するためのギャップに対してブランケット胴の周方向において位相をずらして設けられており、さらに、版胴の外周又は版胴に巻着した刷版には、印刷時に前記ブランケット胴の前記各ギャップの延長線上となる位置に版胴の軸方向に沿って隆起部が形成されていることを特徴とする。
【００１１】
この輪転印刷機の印刷胴構造において、前記隆起部は、前記各ギャップの形成部分を除いて、ブランケットの巻着部分に対応する部分の全幅にわたって形成されたものとすることができる。また、前記隆起部は、ブランケット胴の周方向における前記各ギャップの幅よりも幅広に形成されたものとすることができる。さらに、前記隆起部は、版胴の周方向において、曲面状となるように形成されたものとすることができる。
【発明の効果】
【００１２】
本発明によって以下の効果を奏する。
【００１３】
１．ブランケット胴のギャップの延長線上に隆起部を設けたことにより、印刷時に版胴がギャップに落ち込むことが防止されるので、振動の発生及びテンションの抜けを抑制でき、これらに伴うショックマーク等の印刷障害の発生を防止できる。
【００１４】
２．ブランケットを必要以上に分割する必要がないので、ブランケットの取り付け、取り外しの作業等が煩わしくなることはない。
【００１５】
３．隆起部をブランケット胴のギャップ部分を除くブランケット装着部分の全幅に設けることにより、版胴のギャップへの落ち込みをより効果的に防止できる。
【００１６】
４．隆起部の幅をギャップの幅よりも広くすることにより、版胴のギャップへの落ち込みをより効果的に防止できる。
【００１７】
５．隆起部をブランケット胴又は版胴の周方向に沿って曲面状に形成することにより、隆起部を乗り越える際の衝撃が軽減され、振動の発生及びテンションの抜けをより効果的に抑制できる。
【００１８】
６．隆起部をブランケット又は刷版に設けることより、ブランケット胴又は版胴に加工を施す必要がないので、既存のブランケット胴又は版胴をそのまま使用することができる。
【発明を実施するための最良の形態】
【００１９】
以下、図面に示す実施例に基づき本発明の実施の形態を説明する。
【実施例１】
【００２０】
図１は、本発明の印刷胴構造を適用した輪転印刷機の印刷部の構成を示す説明図である。同図に示す輪転印刷機の印刷部は、刷版を巻着した版胴１と、ゴム製のブランケットを巻着したブランケット胴２と、インキング装置３と、湿し水装置４とで構成される印刷要素を左右に一組ずつ備えている。
【００２１】
インキング装置３は、インキポンプ３ａと、複数のインキロールからなるインキロール群３ｂとからなり、インキポンプ３ａから供給される印刷インキをインキ被膜としてインキロール群３ｂで順次転移させ、版胴１と接する最終ロール３ｂ−１によって、版胴１の外周に巻着した刷版の印刷面にインキ被膜を転移させる。
【００２２】
湿し水装置４は、スパイラルブラシ方式の湿し水供給機４ａと２本のロールとからなり、湿し水供給機４ａからの湿し水を刷版の印刷面に供給する。
【００２３】
このほか、図１に示す輪転印刷機の印刷部は、単色刷り装置５を備えており、そのインキつぼ５ａから供給される赤インキ等の別の印刷インキをスポット版胴５ｂを介して一方のブランケット胴２に供給できるようになっている。また、単色刷り装置５においても、湿し水供給機５ｃから湿し水が供給されるようになっている。
【００２４】
以上の構成において、版胴１の外周に巻着された刷版の印刷面（図示せず）に、インキング装置３と湿し水供給装置４からそれぞれ印刷インキと湿し水が供給され、刷版の印刷面上の印刷インキはブランケット胴２に転写され、一対のブランケット胴２間を走行するウエブＷに表裏同時に転写され印刷される。
【００２５】
図２は、図１の輪転印刷機の印刷部に適用される本発明のブランケット胴の一実施例を示す図で、（ａ）は斜視図、（ｂ）は（ａ）のＡ−Ａ線矢視による断面図、（ｃ）は（ｂ）のＢ−Ｂ線矢視による断面図、（ｄ）は（ａ）のＣ−Ｃ線矢視による拡大断面図である。なお、図２では便宜上、ブランケット胴の端部のベアラー等を省略している。
【００２６】
図２に示すブランケット胴２には、２ページ幅のブランケットを軸方向に２枚並べて巻着するようにしており、ブランケット胴２の外周には、各ブランケットの巻き端部としてのアルミフィレットバー７ｂ（図５参照）を巻き込み方式又はＴバー方式により係止するためのギャップ２ａ、２ｂが形成されている。ここで、一方のブランケットのアルミフィレットバー７ｂを係止するためのギャップ２ａと、他方のブランケットのアルミフィレットバー７ｂを係止するためのギャップ２ｂとは、ブランケット胴２の周方向において１８０度位相をずらして設けられている。さらに、ブランケット胴２の外周には、ブランケット胴２の軸方向に沿って各ギャップ２ａ、２ｂの延長線上にそれぞれ隆起部２ｃ、２ｄが形成されている。
【００２７】
隆起部２ｃ、２ｄは、図２（ｄ）に示すように、ブランケット胴２の周方向に沿ってなだらかな曲面状に形成されており、実施例では高さｔを０．０３ｍｍとした。また、幅ｗは、ギャップ２ａ、２ｂのブランケット胴２の周方向における幅（５ｍｍ）より幅広の１５ｍｍとした。この隆起部２ｃ、２ｄは、ブランケット胴２の外周に溶接肉盛り後に加工することによって形成することができる。また、図３に示すようにブランケット胴２の外周にテープ６を貼着することによって形成することもできるし、メッキによって肉盛り加工してもよい。
【００２８】
図４は、ブランケット胴と版胴との回転接触状態を示す概略側面図である。ブランケット胴２には、２ページ幅のブランケット７が軸方向に２枚並べて巻着されており、版胴１には、同じく２ページ幅の刷版８が軸方向に２枚並べて巻着されている。また、版胴１の外周には、各刷版８のくわえ側及びくわえ尻側をバネ等を利用して係止するためのギャップ１ａが１条形成されており、このギャップ１ａは、印刷時は、ブランケット胴２のギャップ２ａ又はギャップ２ｂと常に同じ位置で向き合うようになっている。
【００２９】
なお、図４においては、版胴１は１ページ周長のもの、ブランケット胴２は２ページ周長のものを使用した場合を示している。
【００３０】
このような構成において、先に説明したようにブランケット胴２には各ギャップ２ａ、２ｂの延長線上にそれぞれ隆起部２ｃ、２ｄが形成されているので、図４に示すように、版胴１のギャップ１ａとブランケット胴２のギャップ２ａとが同じ位置で向き合う状態になったとしても、版胴１はブランケット胴２の隆起部２ｃを乗り越える形で回転するので、ギャップ２ａへの落ち込みを防止し、テンションの抜けを抑制できる。したがって、テンションの抜けや版胴１がブランケット胴２のギャップ２ａ、２ｂに落ち込むことによる振動の発生を抑制でき、これらに伴う印刷障害の発生を防止できる。
【００３１】
また、ブランケットの取り付け、取り外しの要領は、２枚のブランケットを使用する従来の場合と同じであるので、煩わしさを感じることはない。
【００３２】
さらに、本実施例では、図２に示すように、隆起部２ｃ、２ｄは、ギャップ２ａ、２ｂの形成部分を除きブランケットの巻着部分の全幅にわたって形成されているので、版胴が全体として隆起部２ｃ、２ｄを乗り越えることができ、振動の発生及びテンションの抜けをより抑制できる。また、隆起部２ｃ、２ｄは、ブランケット胴２の周方向に沿ってなだらかな曲面状に形成されており、ギャップ２ａ、２ｂの幅より幅広とされているので、版胴１が隆起部２ｃ、２ｄをよりスムーズに乗り越えることができる。
【実施例２】
【００３３】
図５は、本発明の第２実施例に係る印刷胴構造に使用するブランケットの斜視図、図６は、図５のブランケットをブランケット胴に巻着した状態を示す斜視図である。図５において、第１実施例と同一の構成には同一の符号を付し、その説明を省略する。なお、図５では図２と同様にベアラー等を省略している。
【００３４】
第１実施例では隆起部をブランケット胴に設けたが、本実施例は隆起部をブランケットに設けたものである。なお、本実施例においても、ブランケット胴２には、２ページ幅のブランケット７を軸方向に２枚並べて巻着するようにしている。
【００３５】
図６に示すように、一方のブランケット７に設けた隆起部７ａは、ブランケット胴２のギャップ２ａの延長線上に位置するように巻着されている。他方のブランケット７に設けた隆起部７ａは、ブランケット胴２のギャップ２ｂの延長線上に位置するように巻着されている。隆起部７ａの形状は、第１実施例の隆起部２ｃ、２ｄと同一である。
【００３６】
図７は、本実施例におけるブランケット胴と版胴との回転接触状態を示す概略側面図である。同図に示すように、版胴１のギャップ１ａとブランケット胴２のギャップ２ａとが同じ位置で向き合う状態になったとしても、版胴１はブランケット７の隆起部７ａを乗り越える形で回転するので、ギャップ２ａへの落ち込みを防止し、テンションの抜けを抑制できる。したがって、第１実施例と同様に、テンションの抜けや版胴１がブランケット胴２のギャップ２ａ、２ｂに落ち込むことによる振動の発生を抑制でき、これらに伴う印刷障害の発生を防止できる。
【００３７】
さらに、本実施例では、隆起部７ａをブランケット７に設けているので、ブランケット胴２に加工を施す必要がなく、既存のブランケット胴２をそのまま使用することができる。
【実施例３】
【００３８】
図８は、本発明の第３実施例に係る印刷胴構造に使用する刷版及び版胴を示す斜視図である。本実施例は、隆起部を刷版８に設けたものである。なお、図８において、第１実施例と同一の構成には同一の符号を付し、その説明を省略する。また、図８では便宜上、版胴の端部のベアラー等を省略している。
【００３９】
図８に示す版胴１には、２ページ幅で２ページ周長の刷版８を軸方向に２枚並べて巻着するようにしており、版胴１の外周には、各刷版８のくわえ側及びくわえ尻側をバネ等を利用して係止するためのギャップ１ａ、１ｂが形成されている。ここで、一方の刷版８のくわえ側及びくわえ尻側を係止するためのギャップ１ａと、他方の刷版８のくわえ側及びくわえ尻側を係止するためのギャップ１ｂとは、版胴１の周方向において１８０度位相をずらして設けられている。これらのギャップ１ａ及びギャップ１ｂは、印刷時には、ブランケット胴２のギャップ２ａ及びギャップ２ｂと常に同じ位置で向き合うようになっている。
【００４０】
また、各刷版８には隆起部８ａが設けられており、一方の刷版８に設けた隆起部８ａは、版胴１のギャップ１ａの延長線上に位置するように巻着されている。他方の刷版８に設けた隆起部８ａは、版胴１のギャップ１ｂの延長線上に位置するように巻着されている。隆起部８ａの形状は、第１実施例の隆起部２ｃ、２ｄと同一である。
【００４１】
図９は、本実施例における版胴とブランケット胴との回転接触状態を示す概略側面図である。同図に示すように、版胴１のギャップ１ａとブランケット胴２のギャップ２ａとが同じ位置で向き合う状態になったとしても、版胴１は刷版８の隆起部８ａの分だけブランケット胴２から離れる形で回転するので、ギャップ２ａへの落ち込みを防止し、テンションの抜けを抑制できる。したがって、テンションの抜けや版胴１がブランケット胴２のギャップ２ａ、２ｂに落ち込むことによる振動の発生を抑制でき、これらに伴う印刷障害の発生を防止できる。
【００４２】
さらに、本実施例では、隆起部８ａを刷版８に設けているので、版胴１に加工を施す必要がなく、既存の版胴１をそのまま使用することができる。
【００４３】
以上実施例を説明したが、本発明はこれに限定されるものではない。例えば、第１実施例及び第２実施例では、１ページ周長の版胴を使用したが、ブランケット胴と同様に２ページ周長としてもよい。すなわち、印刷時、版胴とブランケット胴の各ギャップが対向する位置に隆起部が必ず来るような構成であれば、版胴及びブランケット胴の長さや径は一切限定されない。
【００４４】
また、隆起部の高さ及び幅は、印刷時の条件やギャップの幅に応じて変更可能である。さらに、ブランケット胴に隆起部を形成したように、版胴には、版胴に形成した位相をずらしたギャップの延長線上に隆起部を形成し、この版胴に通常の刷版を巻着してもよい。
【００４５】
また、隆起部は断続的に形成してもよいし、ギャップの幅と同等以上の幅であればよい。
【産業上の利用可能性】
【００４６】
本発明は、オフセット輪転印刷機等、種々の輪転印刷機の印刷部で使用される版胴及びブランケット胴の構造に利用可能である。
【図面の簡単な説明】
【００４７】
【図１】本発明の印刷胴構造を適用した輪転印刷機の印刷部の構成を示す説明図である。
【図２】図１の輪転印刷機の印刷部に適用される本発明のブランケット胴の一実施例を示す図で、（ａ）は斜視図、（ｂ）は（ａ）のＡ−Ａ線矢視による断面図、（ｃ）は（ｂ）のＢ−Ｂ線矢視による断面図、（ｄ）は（ａ）のＣ−Ｃ線矢視による拡大断面図である。
【図３】ブランケット胴の外周に形成される隆起部の他の実施例を示す拡大断面図である。
【図４】ブランケット胴と版胴との回転接触状態を示す概略側面図である。
【図５】本発明の第２実施例に係る印刷胴構造に使用するブランケットの斜視図である。
【図６】図５のブランケットをブランケット胴に巻着した状態を示す斜視図である。
【図７】第２実施例におけるブランケット胴と版胴との回転接触状態を示す概略側面図である。
【図８】本発明の第３実施例に係る印刷胴構造に使用する刷版及び版胴を示す斜視図である。
【図９】第３実施例における版胴とブランケット胴との回転接触状態を示す概略側面図である。
【図１０】版胴に形成されたギャップとブランケット胴に形成されたギャップの印刷時の位置関係を示す要部の断面図である。
【符号の説明】
【００４８】
１  版胴
１ａ、１ｂ  ギャップ
２  ブランケット胴
２ａ、２ｂ  ギャップ
２ｃ、２ｄ  隆起部
３  インキング装置
３ａ  インキポンプ
３ｂ  インキロール群
３ｂ−１  インキロール群の最終ロール
４  湿し水装置
４ａ  湿し水供給機
５  単色刷り装置
５ａ  インキつぼ
５ｂ  スポット版胴
５ｃ  湿し水供給機
６  テープ（隆起部）
７  ブランケット
７ａ  隆起部
７ｂ  アルミフィレットバー（巻き端部）
８  刷版
８ａ  隆起部
Ｗ  ウエブ
【図１】
2005219412.tif 000003
【図２】
2005219412.tif 000004
【図３】
2005219412.tif 000005
【図４】
2005219412.tif 000006
【図５】
2005219412.tif 000007
【図６】
2005219412.tif 000008
【図７】
2005219412.tif 000009
【図８】
2005219412.tif 000010
【図９】
2005219412.tif 000011
【図１０】
2005219412.tif 000012
【手続補正書】
【提出日】平成16年9月3日(2004.9.3)
【手続補正１】
【補正対象書類名】特許請求の範囲
【補正対象項目名】全文
【補正方法】変更
【補正の内容】
【特許請求の範囲】
【請求項１】
印刷インキを隣接部で順次転移させ、転移過程でインキ被膜にするインキロール群と、前記インキロール群の最終ロールから前記インキ被膜を転移させる印刷面を備えた刷版を外周に巻着した版胴と、前記刷版の印刷面に転移させた前記印刷インキを走行するウエブ面に転写して印刷するブランケットを外周に巻着したブランケット胴とを含む輪転印刷機の印刷胴構造であって、
ブランケット胴には、２枚のブランケットを軸方向に並べて巻着可能であり、ブランケット胴の外周には、各ブランケットの巻き端部を係止するためのギャップが形成されており、一方のブランケットの巻き端部を係止するためのギャップは、他方のブランケットの巻き端部を係止するためのギャップに対してブランケット胴の周方向において位相をずらして設けられており、
さらに、ブランケット胴の外周又はブランケット胴に巻着したブランケットには、ブランケット胴の軸方向に沿って前記各ギャップの延長線上に隆起部が形成されていることを特徴とする輪転印刷機の印刷胴構造。
【請求項２】
前記隆起部は、前記各ギャップの形成部分を除いて、ブランケットの巻着部分の全幅にわたって形成されている請求項１に記載の輪転印刷機の印刷胴構造。
【請求項３】
前記隆起部は、前記各ギャップの形成部分を除いて、ブランケットの巻着部分の全幅にわたって断続的に形成されている請求項１に記載の輪転印刷機の印刷胴構造。
【請求項４】
前記隆起部は、ブランケット胴の周方向における前記各ギャップの幅よりも幅広に形成されている請求項１〜３の何れかに記載の輪転印刷機の印刷胴構造。
【請求項５】
前記隆起部は、ブランケット胴の周方向において、曲面状となるように形成されている請求項１〜４の何れかに記載の輪転印刷機の印刷胴構造。
【請求項６】
印刷インキを隣接部で順次転移させ、転移過程でインキ被膜にするインキロール群と、前記インキロール群の最終ロールから前記インキ被膜を転移させる印刷面を備えた刷版を外周に巻着した版胴と、前記刷版の印刷面に転移させた前記印刷インキを走行するウエブ面に転写して印刷するブランケットを外周に巻着したブランケット胴とを含む輪転印刷機の印刷胴構造であって、
ブランケット胴には、２枚のブランケットを軸方向に並べて巻着可能であり、ブランケット胴の外周には、各ブランケットの巻き端部を係止するためのギャップが形成されており、一方のブランケットの巻き端部を係止するためのギャップは、他方のブランケットの巻き端部を係止するためのギャップに対してブランケット胴の周方向において位相をずらして設けられており、
さらに、版胴の外周又は版胴に巻着した刷版には、印刷時に前記ブランケット胴の前記各ギャップの延長線上となる位置に版胴の軸方向に沿って隆起部が形成されていることを特徴とする輪転印刷機の印刷胴構造。
【請求項７】
前記隆起部は、前記各ギャップの形成部分を除いて、ブランケットの巻着部分に対応する部分の全幅にわたって形成されている請求項６に記載の輪転印刷機の印刷胴構造。
【請求項８】
前記隆起部は、前記各ギャップの形成部分を除いて、ブランケットの巻着部分に対応する部分の全幅にわたって断続的に形成されている請求項６に記載の輪転印刷機の印刷胴構造。
【請求項９】
前記隆起部は、ブランケット胴の周方向における前記各ギャップの幅よりも幅広に形成されている請求項６〜８の何れかに記載の輪転印刷機の印刷胴構造。
【請求項１０】
前記隆起部は、版胴の周方向において、曲面状となるように形成されている請求項６〜９の何れかに記載の輪転印刷機の印刷胴構造。
【手続補正２】
【補正対象書類名】明細書
【補正対象項目名】０００９
【補正方法】変更
【補正の内容】
【０００９】
この輪転印刷機の印刷胴構造において、前記隆起部は、前記各ギャップの形成部分を除いて、ブランケットの巻着部分の全幅にわたって形成あるいは全幅にわたって断続的に形成されたものとすることができる。また、前記隆起部は、ブランケット胴の周方向における前記各ギャップの幅よりも幅広に形成されているものとすることができる。さらに、前記隆起部は、ブランケット胴の周方向において、曲面状となるように形成されたものとすることができる。
【手続補正３】
【補正対象書類名】明細書
【補正対象項目名】００１１
【補正方法】変更
【補正の内容】
【００１１】
この輪転印刷機の印刷胴構造において、前記隆起部は、前記各ギャップの形成部分を除いて、ブランケットの巻着部分に対応する部分の全幅にわたって形成あるいは全幅にわたって断続的に形成されたものとすることができる。また、前記隆起部は、ブランケット胴の周方向における前記各ギャップの幅よりも幅広に形成されたものとすることができる。さらに、前記隆起部は、版胴の周方向において、曲面状となるように形成されたものとすることができる。
【手続補正４】
【補正対象書類名】明細書
【補正対象項目名】００１５
【補正方法】変更
【補正の内容】
【００１５】
３．隆起部をブランケット胴のギャップ部分を除くブランケット装着部分の全幅に形成あるいは全幅にわたって断続的に形成することにより、版胴のギャップへの落ち込みをより効果的に防止できる。
【手続補正５】
【補正対象書類名】明細書
【補正対象項目名】００１７
【補正方法】変更
【補正の内容】
【００１７】
５．ブランケット胴の軸方向に沿って形成した隆起部をブランケット胴の周方向において曲面状に形成することにより、隆起部を乗り越える際の衝撃が軽減され、振動の発生及びテンションの抜けをより効果的に抑制できる。また、隆起部をブランケット胴と同様に版胴に形成しても同様の効果を得ることができる。